(57)【特許請求の範囲】
【請求項１】
底部に石砂篭体が敷設配列され、内部に柱状篭体が立脚されていて、一端側から水供給手段によって養魚水が注水供給され、他端側から排水手段によって養魚水が排水されるようにした養魚槽本体と、この養魚槽本体内の養魚水を養魚槽本体との間で循環させ、養魚水中の夾雑物を除去する濾過機構と、濾過機構内における養魚水を一定水温に維持するよう、濾過機構との間で恒温水を循環させる水温管理機構とを備えて成り、水供給手段は、養魚槽本体に接続された導入管と、この導入管に、養魚水の供給方向に向けて接続したエア導入管と、噴出方向を異ならしめて複数の供給噴出孔が開穿されて導入管に接続されている供給管内に、噴出方向が異なる供給噴出孔を選択して開閉させる開閉調整板を揺動自在に配装して成る噴出管部と、開閉調整板を揺動調整させる調整レバーとを備えて成ることを特徴とする養魚槽装置。
【請求項２】
養魚槽本体は、周壁の下部が底部に至るに伴い次第に内方に窄まり状となる傾斜面に形成してある請求項１に記載の養魚槽装置。
【請求項３】
濾過機構は、養魚槽本体の排水手段には導入口によって、水供給手段には導出口によって夫々連通する濾過槽と、養魚水を一定温度に維持するよう濾過槽内の養魚水と熱交換する恒温水を収容している恒温調整槽とを備えて成る請求項１または２に記載の養魚槽装置。
【請求項４】
濾過槽は、導入口から導出口に至る間の底部に、底部に至るに伴い次第に狭幅となるよう傾斜面を有し、除去機構に連通する樋溝状の集積溝を備えると共に、導出口側には積層された適数段の着脱自在な濾過層体を配して成る請求項３に記載の養魚槽装置。
【請求項５】
恒温調整槽は、濾過槽に下部で連通する濾過水部、水温管理機構に上部で連通する恒温水部とが互いに交互に隔壁を隔てて隣接されている請求項３または４に記載の養魚槽装置。
【請求項６】
除去機構は、集積溝との間で濾過水を循環させる濾過水循環管に連通する前後夫々に開閉循環バルブを配置した除去槽と、開閉除去バルブによって開閉され、除去槽底部に連通させてある夾雑物除去部と、除去槽内に配置した濾過手段と、除去槽内に連通しているエア抜き管とを備えて成る請求項４に記載の養魚槽装置。
【請求項７】
水温管理機構は、恒温水部との間で恒温水を循環させるよう濾過機構の恒温水部との間で恒温水を循環させる恒温水循環管の径路中に配置されている恒温槽と、この恒温槽内の恒温水を恒温槽外で循環させて加熱する加熱手段と、同じく恒温槽内の恒温水を恒温槽外で循環させて冷却する冷却手段と、恒温水を濾過する濾過手段とを備えて成る請求項１乃至６のいずれかに記載の養魚槽装置。
【発明の詳細な説明】
【０００１】
【発明の属する技術分野】
本発明は主としてタイ、ヒラメ等の海水魚を例えば料理店、販売店その他で養殖するときに利用され、残餌、糞、汚物その他の各種の夾雑物を除去して循環使用する海水の如き養魚水等を清浄化すると共に、水温、水流速度等を自在に調整し、養魚水を腐敗させずにその交換を不要として、生育する魚類に適した養魚環境を設定できるようにした養魚槽装置に関するものである。
【０００２】
【従来の技術】
従来から例えば活魚料理として新鮮な魚介類を提供するように販売店、料理店その他で養魚槽（生け簀）等を設置しておき、注文に応じてその魚介類を掬い上げ、販売、あるいは調理して顧客に提供している。ただ魚介類の生息環境と同様な環境を養魚槽内に形成しているために、生育に対応して水質が変化して酸化、腐敗し、また汚染等が生じるからその水質、水温その他を常時監視すると同時に清浄に維持する必要があり、しかも適当時間毎に養魚水を交換しなければならない。そのために従来から種々な水質維持装置が提案されており、養魚槽内の水を養魚槽外に設置された濾過装置との間で循環させるものとしたり、養魚槽内の水にエアを混入供給させるものとしたり、水温調整機構によって冷却あるいは加温したりしているのである。
【０００３】
【発明が解決しようとする課題】
ただこうした従来の水質維持装置は、水質の酸化、腐敗等を防止できず、度々養魚水を交換する必要があってその管理維持が面倒であり、特に残餌、汚物その他の各種の夾雑物を取り除くには濾過装置によるものであっても、夾雑物のみの分離、除去のための操作取り扱いが面倒で、簡単には行いがたいものであった。そればかりでなく生育する魚介類に対して所定の水温の中での強制的にでも泳がせるものとして適当な運動をさせなければ、いわゆる身が引き締まった、また適量の油脂分が含有された美味なものとするのは困難なものであった。
【０００４】
そこで本発明は叙上のような従来存した諸事情に鑑み創出されたもので、各種の魚介類を生育するに最も好適な環境の下で生育できるように水質、水温等を維持し、養魚水を酸化、腐敗させず、その交換を不要とし、また人工的な水流によって適当な運動量を確保できるものとして美味な肉質、脂質等を有する魚介類を生育できると共に、例えば海水の如き養魚水中に存する残餌、糞その他の各種の夾雑物を簡単に分離除去でき、魚介類が好む海底・岩礁環境更には人工流等の形成によって多種類の魚介類に適応できるようにし、しかも機器類の保守維持管理も容易であるようにした養魚槽装置を提供することを目的とする。
【０００５】
【課題を解決するための手段】
上述した目的を達成するため、本発明にあっては、底部に石砂篭体２が敷設配列され、内部に柱状篭体５が立脚されていて、一端側から水供給手段１０によって養魚水が注水供給され、他端側から排水手段２０によって養魚水が排水されるようにした養魚槽本体１と、この養魚槽本体１内の養魚水を養魚槽本体１との間で循環させ、養魚水中の夾雑物を除去する濾過機構３０と、濾過機構３０内における養魚水を一定水温に維持するよう、濾過機構３０との間で恒温水を循環させる水温管理機構５０とを備えて成るものである。
養魚槽本体１は、周壁の下部が底部に至るに伴い次第に内方に窄まり状となる傾斜面に形成することができる。
水供給手段１０は、養魚槽本体１に接続された導入管１１と、この導入管１１に、養魚水の供給方向に向けて接続したエア導入管１２と、噴出方向を異ならしめて複数の供給噴出孔１５が開穿されて導入管１１に接続されている供給管１４内に、噴出方向が異なる供給噴出孔１５を選択して開閉させる開閉調整板１６を揺動自在に配装して成る噴出管部１３と、開閉調整板１６を揺動調整させる調整レバー１７とを備えて成るものとできる。
濾過機構３０は、養魚槽本体１の排水手段２０には導入口３２によって、水供給手段１０には導出口３３によって夫々連通する濾過槽３１と、養魚水を一定温度に維持するよう濾過槽３１内の養魚水と熱交換する恒温水を収容している恒温調整槽３６とを備えて成るものとできる。また濾過槽３１は、導入口３２から導出口３３に至る間の底部に、底部に至るに伴い次第に狭幅となるよう傾斜面を有し、除去機構４１に連通する樋溝状の集積溝３４を備えると共に、導出口３３側には積層された適数段の着脱自在な濾過層体３５を配して成るものとできる。また恒温調整槽３６は、濾過槽３１に下部で連通する濾過水部３７、水温管理機構５０に上部で連通する恒温水部３８とが互いに交互に隔壁３９を隔てて隣接されることで構成されたものとすることができる。
除去機構４１は、集積溝３４との間で濾過水を循環させる濾過水循環管４２に連通する前後夫々に開閉循環バルブ４４を配置した除去槽４３と、開閉除去バルブ４６によって開閉され、除去槽４３底部に連通させてある夾雑物除去部４５と、除去槽４３内に配置した濾過手段４７と、除去槽４３内に連通しているエア抜き管４８とを備えて成るものとできる。
水温管理機構５０は、恒温水部３８との間で恒温水を循環させるよう濾過機構３０の恒温水部３８との間で恒温水を循環させる恒温水循環管５１の径路中に配置されている恒温槽５３と、この恒温槽５３内の恒温水を恒温槽５３外で循環させて加熱する加熱手段５６と、同じく恒温槽５３内の恒温水を恒温槽５３外で循環させて冷却する冷却手段５７と、恒温水を濾過する濾過手段５８とを備えて成るものとできる。
【０００６】
以上のように構成された本発明に係る養魚槽装置において、養魚槽本体１内に濾過機構３０との間で循環される養魚水が供給されることで養魚槽本体１内に生じる水流は、養魚槽本体１内の魚介類に適当な運動を与え、石砂篭体２、柱状篭体５によって形成される海底・岩礁環境は魚介類に対して好適な生育環境を形成する。また濾過機構３０では養魚槽本体１との間で養魚水を循環させながら、養魚水中の各種の夾雑物を除去濾過させると共に、水温管理機構５０との間で循環する恒温水は濾過機構３０内の養魚水を加熱あるいは冷却し、養魚槽本体１内を一定温度に維持させる。
養魚槽本体１はその周壁の下部が傾斜面となっていることで、養魚槽本体１内を遊泳する魚介類は周壁にぶつかることがなく、周壁を自然に回避させ、その魚体を自ら損傷させない。
養魚槽本体１内に濾過機構３０で濾過された養魚水を供給する水供給手段１０は、その調整レバー１７の揺動操作で噴出管部１３内の開閉調整板１６を揺動させ、供給管１４に開穿されている供給噴出孔１５を経ての噴出方向を選定させ、養魚槽本体１内に多様な水流を形成させると同時に、酸素を含むエアを養魚水中に混入供給させる。
濾過機構３０の濾過槽３１は、養魚槽本体１から排水された養魚水中の各種の夾雑物を集積溝３４内に沈殿させ、濾過層体３５によって濾過させて、再び養魚槽本体１内に戻す。集積溝３４内に沈殿した夾雑物は除去機構４１に排出され、開閉循環バルブ４４、開閉除去バルブ４６の開閉操作でエア抜き管４８によるエア抜き作用と相俟ち、夾雑物除去部４５から外部に排出除去させる。
また恒温調整槽３６は、水温管理機構５０によって加熱あるいは冷却された恒温水が供給される恒温水部３８と、養魚水が供給される濾過水部３７とが隔壁３９によって相互に隣接していることでこの隔壁３９を経て養魚水を適宜に加熱、冷却させ、養魚水を一定温度に維持させる。
水温管理機構５０において、加熱手段５６は恒温水を加熱し、冷却手段５７は恒温水を冷却することで濾過機構３０との間で循環する恒温水を加熱あるいは冷却して一定温度に調整設定させ、濾過手段５８は恒温水の腐敗等を防止して長期に亙って恒温水の水質を保持させる。
【０００７】
【発明の実施の形態】
以下、図面を参照して本発明の実施の形態を説明するに、図に示される符号１は例えば魚介類の販売店、料理店その他に設置される養魚槽本体であり、この養魚槽本体１自体は例えば縦、横が夫々６ｍ程度のものとし、深さが１ｍ程度のものとした平面でほぼ矩形状を呈する上部開放のボックス状に形成されていて、底部における端部夫々は底部に至るに伴い次第に狭まる傾斜壁となっており（図２、図３参照）、周囲側壁はガラス材その他の透明な素材によって形成してある。養魚槽本体１には、底部に海底と同様な環境を形成するように砂利、砕石等を収容したほぼ扁平ボックス状の石砂篭体２を敷設配列すると共に、同様に内部に岩場・岩礁と同様な環境を形成するように砕石を収納した柱状篭体５を立脚状に配置し、またいずれか一方の端部にはエアが混入される清浄化された養魚水、例えば海水を内部に供給する水供給手段１０を、他方には内部の汚染された養魚水を排水させる排水手段２０を夫々設けてある。
【０００８】
また養魚槽本体１は、周壁の下部が底部に至るに伴い次第に内方に窄まり状となる傾斜面、すなわち上部に至るに伴い次第に外方に広がり状となる傾斜面に形成してある。この傾斜面の形成は、養魚槽本体１の前後壁面のみならず、左右壁面にも形成でき、あたかも遠浅的な構造を呈するようにしてある。このように養魚槽本体１の下部ないし底部に傾斜面状の壁部を形成することで、養魚槽本体１内を遊泳する魚介類の周囲壁面との衝突等を回避して魚体等を損傷させずに済み、またその部位での水流を緩やかにすることができるものである（図２、図３参照）。
【０００９】
石砂篭体２は、図示のように養魚槽本体１内において水供給手段１０、排水手段２０によって形成される水流方向に沿う左右の底部に、養魚槽本体１自体の底壁面とは若干の間隙が設定されることで着脱自在に配されている。石砂篭体２自体は平面でほぼ矩形状を呈する上部開放の扁平なボックス状の筐体３内に砂あるいは適当な大きさを有する砕石等の石砂材４を収納して成り、海底において生息する各種の微生物、藻類等が生育可能なようにしてある。なお筐体３自体は例えばパンチングボードの如き所定形状、大きさにした多数の孔が開穿されている鋼製、合成樹脂材製の孔空き板によって形成されており、石砂篭体２内外で通水可能にしてある。この石砂篭体２は養魚槽本体１から取り出されることで収納した石砂材４夫々を洗浄したり、交換したり、日光に晒されたり等の保守点検等が容易に行えるようにしてある。なお図示にあって養魚槽本体１における前後部に砕石を収納した石砂篭体２が、中央部に砂を収納した石砂篭体２が夫々配置されているも、その配置順序、配置数、配置位置その他の配置形態は特に限定されるものでないことは勿論である。
【００１０】
柱状篭体５は、図示のように養魚槽本体１内において形成される水流方向に沿う中央の底部に形成した支持台６上で着脱自在に例えば３個の複数にして配列されており、平面から見て円形あるいは楕円形更には所定の多角形状に形成されている。この柱状篭体５自体は、平面でドーナツ状の底部壁の内外縁に内外二重の周壁を立設して成る筒状筐体７内に適当な大きさを有する砕石等の石材８を収納し、筒状筐体７における少なくとも外周壁には場合によっては収納した石材８の一部でも筒状筐体７外方に突出させるようにした所定形状、大きさの多数の孔を開穿して成るものである。この柱状篭体５は、支持台６上に立脚配列した取付部９に着脱自在に嵌め合わせることで支持台６上に支持されるようになっている。この取付部９は例えば図示のように、柱状筐体７における内周壁の内径にほぼ対応した外径を有し、内外で通水させるための連通切欠を設けた下向き開口のほぼ筒状に形成されており、この取付部９に柱状篭体５を嵌め合わせることで支持台６上に立脚状に支持されるようになっている。なお図示を省略したが、取付部９自体は柱状筐体７の外周壁に嵌め合わせられるように上方開口のほぼ筒状に形成されることもある。
【００１１】
なお石砂篭体２、柱状篭体５内に夫々収納される石砂材４、石材８等は、海底あるいは岩場環境を養魚槽本体１内で形成するものとなるも、それ自体で養魚水を濾過する機能をも有するものであってもよく、例えば医王石（石川県と富山県との県境である金沢市近郊の医王山系連峰の裾野である小菱池周辺で産出される学名が石英閃緑袴岩（いわゆる医王石／グリーンタフ／ミネラル鉱石「ペガサス」と称されている））であってもよいのである。またこの医王石を使用することで養魚水の酸化、腐敗等を防止して一定の水質を維持でき、養魚水の交換を不要ないしは極端に少なくすることができる。
【００１２】
また水供給手段１０は、養魚槽本体１における一方の端部にその壁面に沿って配されており、排水手段２０を経て排水されて、養魚槽本体１外に設けられている熱交換を兼ねた濾過機構３０によって所定温度に制御調整され、また清浄化された後に循環ポンプ２５によって強制的に送りこまれることで養魚槽本体１内に養魚水をエアと共に供給するものとしてある。
【００１３】
この水供給手段１０は、後述する養魚水循環管２４中に設けた循環ポンプ２５に接続された導入管１１と、この導入管１１に、養魚水の供給方向に向けて接続したエア導入管１２と、噴出方向を異ならしめて複数の供給噴出孔１５が開穿され、導入管１１に接続されている供給管１４内に、噴出方向が異なる供給噴出孔１５を選択して開閉させる開閉調整板１６を揺動自在に配装して成る噴出管部１３と、開閉調整板１６を揺動調整させる調整レバー１７とを備えて成る。
【００１４】
図示にあって導入管１１、エア導入管１２は養魚槽本体１外に位置して設けられ、エア導入管１２は導入管１１に対して養魚水の供給方向に向かって斜めに設定した状態で接続されており、養魚水の供給圧力に伴い生じる引き込み負圧によって養魚水中にエアが混入されるようにしてある。このエア導入管１２は導入管１１に対して上方から斜めに接続してあって、養魚水中にそれによる水圧の抵抗をなくしてエアが高い位置から自然に引き入れられるように配慮してある。すなわち導入管１１内で流れる養魚水に対してエアを混入させるとき、水の抵抗によって通常であれば混入しがたくても、高い位置からの所定圧の設定で容易に混入できるものとなり、また発生する流圧によって生じる引き込み圧を利用した混入作用を実現することができる。なお図中符号１２Ａはエア導入管１２に接続してあるエア供給源であり、場合によってはこのエア供給源１２Ａによって養魚水中にエアを強制的に混入させるようにする。
【００１５】
噴出管部１３は養魚槽本体１における一方の端部における傾斜壁部分のやや上方に位置して配置してあって、養魚水の噴出方向が下方に向けられたときには傾斜壁内側面を伝い養魚槽本体１の中央部側に流れるようにしてある。この噴出管部１３における供給管１４には、養魚槽本体１内に配管された状態においての例えばその上面、養魚槽本体１の中央側に向かう側面、下面等に夫々適宜間隔で複数の供給噴出孔１５が開穿されている。また開閉調整板１６は供給管１４の内周面に沿った円周方向で揺動することで、供給管１４の上面、側面、下面等のいずれかに調整されて位置することで、１面あるいは２面にある夫々の供給噴出孔１５のいずれかを選択して開閉するようにしている（図３参照）。そのため開閉調整板１６自体は、例えば管状に形成されていて、供給噴出孔１５に合致する孔が開穿されているか、断面で湾曲している円弧状に形成されているか等によって構成されるものとしてあるも、いずれにしても、その揺動によっていずれかの面にある供給噴出孔１５を開閉させればよく、その形態等は特に限定されるものではない。
【００１６】
また調整レバー１７は開閉調整板１６に連繋された状態で養魚槽本体１の側壁においての上下方向に沿って、養魚槽本体１の前後方向で揺動可能なように設けられ、例えば噴出管部１３の端部で供給管１４から外出する開閉調整板１６に連結されている。なお図中符号１８は調整レバー１７の揺動範囲を規制するように調整レバー１７を例えば養魚槽本体１内側面位置で揺動自在にして囲繞支持しているストッパーである。
【００１７】
排水手段２０は養魚槽本体１内に配置した水供給手段１０とは反対側の端部における底壁下方に配置されており、その端部に複数で開穿した排水孔２１に連通する排水管を底壁下方に配管して成り、養魚水循環管２４を介して濾過機構３０に接続してある。なお排水孔２１は養魚槽本体１の底部に敷設配列する石砂篭体２下方の底壁部位に複数で開穿することで養魚槽本体１内で遊泳する魚介類に対する排水流の影響を少なくすることができる。
【００１８】
また養魚槽本体１内の養魚水を清浄化し、またその温度を一定に保持するための濾過機構３０が養魚槽本体１に接続させて、養魚槽本体１の近傍に好ましくは隣接させて、上面を養魚槽本体１と同一面とした槽構造にして設けてある。なお養魚槽本体１内と濾過機構３０内との養魚水の循環は、養魚槽本体１と濾過機構３０との間を接続している養魚水循環管２４を介して行われ、例えば養魚槽本体１における水供給手段１０側に配した循環ポンプ２５によって強制的に循環されるようにしてある。この濾過機構３０は、養魚槽本体１の排水手段２０には導入口３２によって、水供給手段１０には導出口３３によって夫々連通する濾過槽３１と、養魚水を一定温度に維持するよう濾過槽３１内の養魚水と熱交換する恒温水を収容している恒温調整槽３６とを備えて成る。
【００１９】
図示にあっての濾過槽３１は、導入口３２から導出口３３に至る間の底部に、底部に至るに伴い次第に狭幅となるよう谷状に傾斜した傾斜面を有し、養魚水中の残餌、糞その他の夾雑物を集める樋溝状の集積溝３４を備えており（図６参照）、導出口３３側には積層された適数段の着脱自在な濾過層体３５を配して成る。この濾過槽３１内では、濾過槽３１自体の底部に配した導入口３２から養魚水を導入し、この導入された養魚水は濾過槽３１自体の上部に配した導出口３３から導出される間では底部に沿って流れ、養魚水中に含有されている夾雑物を集積溝３４内に沈殿、堆積させて、集積溝３４の底壁に開穿してある排出孔３４Ａを経て後述の除去機構４１に排出させるようにし、また導出口３３から外部に導出される直前で濾過層体３５によって濾過、清浄化させるようにしてある。
【００２０】
濾過層体３５は多数の孔が開穿されているパンチングボードの如き多孔板によって形成された容器体内に砕石その他の所定の濾過材を収納して成り、導出口３３の下方に位置させて複数段に配置するとき、下方に位置するものから上方に位置するものに至るに伴い順次に細かくした濾過材が配置されるようにしてある。この濾過層体３５自体は所定間隔毎に若干の空隙を設定して配されることも、上下方向で連続して配されることもあり、いずれにしても集積溝３４に沈殿されない夾雑物等を捕捉するようにしてあって内部の濾過材は、濾過層体３５自体の着脱によって洗浄されたり、交換されたり、日光に晒さらされたり等の保守点検等が容易に行えるようにしてある。なお濾過材自体は、前記した医王石のものとすることができ、そうすることでその酸化、腐敗等を一層防止できるのである。
【００２１】
恒温調整槽３６は図６に示すように、濾過機構３０における上部である濾過槽３１の上方に位置させて区画形成されており、濾過槽３１に下部で連通する濾過水部３７、後述の水温管理機構５０に上部で連通する恒温水部３８とが互いに交互に隔壁３９を隔てて隣接されることで構成されている。このように濾過すべき養魚水が流入される濾過水部３７と、一定温度に制御調整されている恒温水が流入される恒温水部３８との間で隔壁３９を隔てて熱交換されることで養魚水の水温が調整されるのであり、このように調整され、濾過された後に導出口３３から導出されるものとしてある。なお恒温水部３８夫々においては、恒温調整槽３６の一方の側壁の上部から恒温水が導入され、他方の側壁の下部から恒温水が導出されて水温管理機構５０との間で循環するようになっている。
【００２２】
また集積溝３４に沈殿、堆積した夾雑物は除去機構４１によって除去されるようになっていて、この除去機構４１は、図６、図７に示すように集積溝３４との間で濾過水（養魚水）を循環させる濾過水循環管４２の径路中に配置されており、夾雑物が自然に流下されるように集積溝３４の高さ位置に比し低い位置に配置されている。除去機構４１自体は、図６に示すように濾過水循環管４２に連通する前後夫々に開閉循環バルブ４４を配置した除去槽４３と、開閉除去バルブ４６によって開閉され、除去槽４３底部に連通させてある夾雑物除去部４５と、除去槽４３内に配置した濾過手段４７と、除去槽４３内に連通しているエア抜き管４８とを備えて成り、必要があれば濾過水循環管４２の径路中で配した循環ポンプによって強制的に濾過水を循環させるようにしてあるものである。
【００２３】
除去槽４３は底部に至るに伴い次第に狭幅ないし小径となるホッパー状に形成されていて、夾雑物除去部４５内に夾雑物が案内されて自然に集積されるように配慮してある。濾過手段４７は適当な濾過材、その腐敗を防止する上から例えば前記医王石を収納した濾過層体を適数段で配置して成り、循環する濾過水が除去槽４３から前記集積溝３４に戻る出口の直前位置等の除去槽４３内に配置されている。またエア抜き管４８は、この除去機構４１において夾雑物を除去するに際し、その重力を利用して分離することから、除去槽４３自体が養魚槽本体１の下方に配置されることを考慮して、養魚槽本体１の上面レベルに比しやや上方に上端開口が位置するように除去槽４３上部に連結されている。
【００２４】
この除去機構４１において、前後の開閉循環バルブ４４を開放しておくことで除去槽４３からの夾雑物を含有した濾過水を除去槽４３内に導入し、夾雑物を夾雑物除去部４５に集積除去させると共に、濾過手段４７によって濾過した後に集積溝３４内に再び戻すのである。夾雑物の除去時には、前後の開閉循環バルブ４４を閉塞した後に、開閉除去バルブ４６を開放すれば、夾雑物除去部４５底部から夾雑物を自然落下させることで、除去できるのである。
【００２５】
一方、濾過機構３０においての恒温水部３８に一定水温の恒温水を供給する水温管理機構５０は、恒温水部３８との間で恒温水を循環させるように、濾過機構３０に隣接あるいはその近傍に配置してある。この水温管理機構５０は、恒温水部３８との間で恒温水を循環させる恒温水循環管５１の径路中に配置されている恒温槽５３と、この恒温槽５３内の恒温水を恒温槽５３外で循環させて加熱する加熱手段５６と、同じく恒温槽５３内の恒温水を恒温槽５３外で循環させて冷却する冷却手段５７と、恒温水を濾過する濾過手段５８とを備えて成り、恒温水循環管５１には恒温水を強制的に循環させる恒温循環ポンプ５２を設けてある。
【００２６】
恒温槽５３は図８に示すように、例えば直方体ボックス状に形成されていて、恒温水循環管５１と接続させる導入口５４、導出口５５を有し、その一側壁には加熱手段５６に連通して加熱温水を導出入する温水導入口５６Ａを下部に、温水導出口５６Ｂを上部に夫々設け、他側壁には冷却手段５７に連通して冷却冷水を導出入する冷水導入口５７Ａを上部に、冷水導出口５７Ｂを下部に夫々設けたものである。また恒温槽５３内部には恒温水の腐敗等を防止するように適当な濾過材、その腐敗を一層防止する上から例えば前記医王石を収納して例えば円柱状に形成した濾過手段５８を立脚状に着脱自在に配設してあり、内部の恒温水、夾雑物等を排水、除去するドレン管５９を恒温槽５３の底部に接続してある。
【００２７】
加熱手段５６はガス、電気その他の熱源によるヒーターを備えていて、恒温水を加熱するものであり、冷却手段５７はチラー装置の如きもので、ガス、電気その他による冷熱源によって恒温水を冷却するものである。すなわち養魚槽本体１内の養魚水を濾過機構３０との間で循環させるときに、濾過機構３０における恒温水部３８との間で加熱あるいは冷却した恒温水を循環させることで、恒温水部３８と濾過槽３１との間の隔壁３９を通じて熱交換を行うとき、加熱あるいは冷却した恒温水を順次に供給することで養魚水を常時一定温度に維持できるようにしている。
【００２８】
次にこれの使用の一例を説明すると、養魚槽本体１内にはヒラメ、カレイ等の底棲魚類を始め各種の魚類、カニ、エビ等の甲殻類等の種々な魚介類の生育に適する海水を養魚水として注水しておき、濾過機構３０との間で循環ポンプ２５の駆動等によって循環させる。このとき養魚槽本体１内の底部における石砂篭体２、柱状篭体５夫々には適当な藻類その他を植裁して海底・岩礁等と同様な生育環境を形成しておくとよい。一方、濾過機構３０と水温管理機構５０との間では恒温循環ポンプ５２の駆動で、加熱手段５６あるい冷却手段５７によって一定温度に維持された恒温水を循環させ、濾過機構３０において養魚水との熱交換で養魚水を一定水温に維持する。
【００２９】
濾過機構３０では養魚槽本体１との間で循環する養魚水中の残餌、糞その他の夾雑物を集積溝３４内で沈殿させ、濾過層体３５にて濾過するのであり、濾過した養魚水を水供給手段１０によって噴射状に養魚槽本体１内に供給し、水流を形成する。このとき調整レバー１７の揺動操作で、養魚槽本体１の上方、側方、下方等に向ける等によって噴射方向を適宜に選定し、循環ポンプ２５の駆動の強弱調整で水流の速度を調整し、生育する魚介類に対応するようにし、水温管理機構５０による水温の調整と共に所定の生育環境を形成するのである。
【００３０】
一方、汚損された濾過層体３５は適当時間の経過後で取り出し、清掃後に元に戻せばよく、養魚槽本体１の養魚水を濾過する濾過機構３０においての集積溝３４に沈殿し、集積された残餌、糞その他の夾雑物は、除去機構４１によって取り出し除去するのであり、前後の開閉循環バルブ４４、開閉除去バルブ４６の開閉操作で夾雑物除去部４５から外部に取り除くのである。また水温管理機構５０においては、適当時間の経過後で、濾過手段５８を恒温槽５３内から取り出し、適当に清掃した後に再び装入セットすればよく、恒温水の腐敗その他を防止するように保守点検を行うのである。
【００３１】
【発明の効果】
本発明は以上のように構成されているために、各種の魚介類を生育するに最も好適な環境の下で生育できるように濾過機構３０によって養魚水を濾過清浄化することで酸化、腐敗等を防止して水質を一定に保持し、その交換を不要ないし極端に少なくでき、また水温管理機構５０によって恒温水を加熱あるいは冷却することで水温等を維持できるのである。また濾過機構３０との間で循環する養魚水を水供給手段１０から養魚槽本体１内に供給するときの人工的な水流によって適当な運動量を魚介類に与えることができ、美味な肉質、脂質等を有する魚介類を生育できるのである。そればかりでなく例えば海水の如き生育水である養魚水中に存する残餌、糞その他の各種の夾雑物は濾過機構３０に連設した除去機構４１によって簡単に分離除去でき、魚介類が好む海底・岩礁環境更には人工流等の形成によって多種類の魚介類に適応できるのであり、しかも機器類の保守維持管理も容易なものである。
【００３２】
すなわちこれは本発明において、石砂篭体２が底部に、柱状篭体５が内部に設けられ、養魚水を注水供給する水供給手段１０を一端側に、養魚水を排水する排水手段２０を他端側に設けた養魚槽本体１、この養魚槽本体１との間で養魚水を循環させて養魚水中の夾雑物を除去する濾過機構３０、濾過機構３０との間で加熱あるいは冷却した恒温水を循環させて養魚水の水温を維持する水温管理機構５０を備えて成るからであり、これによって、養魚槽本体１内の水質・水温の維持、水流・海底環境の形成等で肉質・脂質等が良好となる魚介類の生育環境を構成できるのである。
【００３３】
また水供給手段１０は、濾過された養魚水にエアを引き込んで養魚槽本体１内に噴出管部１３によって強制的に噴出供給すると共に、噴出管部１３の供給管１４には、この供給管１４に開穿した噴出方向が異なる供給噴出孔１５を選択して開閉させる開閉調整板１６を、調整レバー１７によって揺動調整できるようにしたから、濾過された養魚水の供給に伴い新鮮なエアを養魚槽本体１内に混入でき、またその噴出方向の選定によって多様な水流形態を形成でき、石砂篭体２、柱状篭体５等による海底環境の形成と相俟ち、魚介類に好適な生育環境を実現できるのである。そればかりでなく養魚水中にエアを混入して養魚槽本体１内に供給するから新鮮なエアを魚介類に与えることができ、養魚水の酸化、腐敗等を防止でき、その交換を不要ないし極端に少なくできるのである。
【００３４】
濾過機構３０は、濾過槽３１、恒温調整槽３６を備えていることで、養魚槽本体１との間で循環する養魚水を濾過し、清浄化できると同時に、水温管理機構５０との間で循環する加熱あるいは冷却される恒温水による養魚水の水温の維持を図ることができる。しかも濾過槽３１は、導入口３２から導出口３３に至る間の底部に傾斜面を有して除去機構４１に連通する樋溝状の集積溝３４を備えているから、養魚水中の残餌、糞そのたの夾雑物を沈殿、集積でき、除去機構４１によって外部に簡単に排出でき、濾過層体３５によって濾過されることで清浄化された養魚水を養魚槽本体１に循環供給するのである。また恒温調整槽３６は、養魚水を収容する濾過水部３７、恒温水を収容する恒温水部３８とが互いに交互に隔壁３９を隔てて隣接されているから、加熱あるいは冷却することで水温が維持される恒温水によって養魚水を加熱あるいは冷却でき、養魚槽本体１に戻る養魚水で養魚槽本体１内を常時一定水温に維持できるのである。
【００３５】
夾雑物等を外部に排出させる除去機構４１は、養魚槽本体１と濾過機構３０との間で養魚水を循環させる濾過水循環管４２に連通する前後夫々に開閉循環バルブ４４を配置した除去槽４３と、開閉除去バルブ４６によって開閉され、除去槽４３底部に連通させてある夾雑物除去部４５と、除去槽４３内に配置した濾過手段４７と、除去槽４３内に連通しているエア抜き管４８とを備えて成るから、開閉循環バルブ４４の閉鎖で除去槽４３を濾過水循環管４２による循環径路から分離でき、その状態で開閉除去バルブ４６を開放すれば、エア抜き管４８による大気との連通と相俟ち、除去槽４３内に沈殿、蓄積されている夾雑物を極めて簡単に除去できるのである。また濾過手段４７によって濾過水循環管４２に夾雑物を再度混入させず、濾過機構３０における集積溝３４に夾雑物を戻すことがないから、その分離、排出を確実にするのである。
【００３６】
また水温管理機構５０は、濾過機構３０の恒温水部３８との間で恒温水を循環させる恒温水循環管５１の径路中に配置されている恒温槽５３内の恒温水を加熱する加熱手段５６、冷却する冷却手段５７を備えているから、冷温状態のときには恒温水を加熱し、熱温状態のときには同様に冷却して恒温水の熱量を調整することで、濾過機構３０における恒温調整槽３６を介して養魚水を温度管理できるのである。更に恒温槽５３には恒温水を濾過する濾過手段５８を備えているから、恒温水の腐敗等を防止でき、閉ループ構成となっている恒温水循環管５１内における水質を良好に保持でき、メンテナンスを容易にすることができる。
【００３７】
そればかりでなく、養魚槽本体１内においての石砂篭体２、柱状篭体５夫々は内部に石砂材４、石材８等を収納してあることで、海底環境、岩礁環境等を養魚槽本体１内に構成していて、藻類、微生物類その他の棲息によって魚介類の生育に好適な自然環境を形成できるのである。またこれらの石砂篭体２、柱状篭体５は着脱自在にしてあることで、その保守点検も容易であり、濾過機構３０における濾過層体３５、除去機構４１における濾過手段４７、恒温槽５３における濾過手段５８等に対する保守点検とも相俟ち、養魚水、恒温水等の水質管理を簡単に行えるのである。
【図面の簡単な説明】
【図１】本発明の実施の形態を示す概略平面図である。
【図２】同じく養魚槽本体の一部切欠分解斜視図である。
【図３】同じく図２におけるＸ−Ｘ線縦断面図である。
【図４】同じく図２におけるＹ−Ｙ線縦断面図である。
【図５】同じく水供給手段の分解斜視図である。
【図６】同じく濾過機構の一部切欠斜視図である。
【図７】同じくその平断面図である。
【図８】同じく水温管理機構の要部における一部切欠斜視図である。
【符号の説明】
１…養魚槽本体                      ２…石砂篭体
３…筐体                            ４…石砂材
５…柱状篭体                        ６…支持台
７…筒状筐体                        ８…石材
９…取付部
１０…水供給手段                    １１…導入管
１２…エア導入管                    １２Ａ…エア供給源
１３…噴出管部                      １４…供給管
１５…供給噴出孔                    １６…開閉調整板
１７…調整レバー                    １８…ストッパー
２０…排水手段                      ２１…排水孔
２４…養魚水循環管                  ２５…循環ポンプ
３０…濾過機構                      ３１…濾過槽
３２…導入口                        ３３…導出口
３４…集積溝                        ３４Ａ…排出孔
３５…濾過層体                      ３６…恒温調整槽
３７…濾過水部                      ３８…恒温水部
３９…隔壁
４１…除去機構                      ４２…濾過水循環管
４３…除去槽                        ４４…開閉循環バルブ
４５…夾雑物除去部                  ４６…開閉除去バルブ
４７…濾過手段                      ４８…エア抜き管
５０…水温管理機構                  ５１…恒温水循環管
５２…恒温循環ポンプ                ５３…恒温槽
５４…導入口                        ５５…導出口
５６…加熱手段                      ５６Ａ…温水導入口
５６Ｂ…温水導出口                  ５７…冷却手段
５７Ａ…冷水導入口                  ５７Ｂ…冷水導出口
５８…濾過手段                      ５９…ドレン管
【図１】
0003851832.tif 000002
【図２】
0003851832.tif 000003
【図３】
0003851832.tif 000004
【図４】
0003851832.tif 000005
【図５】
0003851832.tif 000006
【図６】
0003851832.tif 000007
【図７】
0003851832.tif 000008
【図８】
0003851832.tif 000009